(57)【要約】      （修正有）【課題】幅を薄く、かつ、中の配布物を取り出しやすくする配布物収容箱を提供する。【解決手段】配布物収容箱１は、開口部を有する収容部２１と、収容部２１内に配置され、配布物５を支持する底部を備える内箱３と、収容部２１の開口部を覆い、ワイヤ４ａ、４ｂを介して内箱３に取り付けられ、持ち上げられることにより内箱３の底部を収容部２１の底部から離間させる蓋部２２と、を有している。【選択図】図１
0003211359.tif 000002
【実用新案登録請求の範囲】
【請求項１】
開口部を有する筐体と、
前記筐体内に配置され、配布物を支持する底部を備える支持部と、
前記開口部を覆い、取付器具を介して前記支持部に取り付けられ、持ち上げられることにより前記支持部の底部を前記筐体の底部から離間させる蓋部と、
を有することを特徴とする配布物収容箱
【考案の詳細な説明】
【技術分野】
【０００１】
本考案は配布物収容箱に関する。
【背景技術】
【０００２】
販促用のチラシ入れが知られている。例えば、建物や塀の壁面に着脱自在に取付けることができ、内部に広告用のチラシを取り出し自在に挿入することのできる広告装置であり、装置本体と固着部材とで構成されたものが知られている。
【０００３】
装置本体は、少なくともチラシを前後から挟持する前壁と後壁とを備えた正面矩形状とし、上下両端を封止すると共に、少なくとも左右のいずれか一端側にチラシを挿入および取り出すための開口部を設け、少なくとも前壁が透明となっている。
固着部材は、装置本体の背面の少なくとも周縁部に設けられ、建物や塀の壁面に離脱自在に固着される。
【先行技術文献】
【特許文献】
【０００４】
【特許文献１】実願２０１２−２５２１号公報
【考案の概要】
【考案が解決しようとする課題】
【０００５】
販促用のチラシ入れは道路に面した所に設置する場合、道路側にはみ出さないように、チラシ入れの形状をなるべく薄くするのが好ましい。
しかしながら、チラシ入れの幅を薄くすればするほど中のチラシを取り出しにくくなってしまう。
１つの側面では、本考案は、幅を薄く、かつ、中の配布物を取り出しやすくすることを目的とする。
【課題を解決するための手段】
【０００６】
上記目的を達成するために、開示の配布物収容箱が提供される。この配布物収容箱は、開口部を有する筐体と、筐体内に配置され、配布物を支持する底部を備える支持部と、開口部を覆い、取付器具を介して支持部に取り付けられ、持ち上げられることにより支持部の底部を筐体の底部から離間させる蓋部と、を有している。
【考案の効果】
【０００７】
１態様では、幅を薄く、かつ、中の配布物を取り出しやすくすることができる。
【図面の簡単な説明】
【０００８】
【図１】実施の形態の配布物収容箱を示す図である。
【図２】内箱を説明する図である。
【図３】蓋部を開いたときの配布物収容箱を説明する図である。
【図４】配布物収容箱の第１の変形例を示す図である。
【図５】配布物収容箱の第２の変形例を示す図である。
【考案を実施するための形態】
【０００９】
以下、実施の形態の配布物収容箱を、図面を参照して詳細に説明する。
＜実施の形態＞
図１は、実施の形態の配布物収容箱を示す図である。
第１の実施の形態の配布物収容箱１は、例えば、バス停の近くや、ショッピングセンター内等、人通りが比較的多い場所に設置され、チラシや広告等、主に紙の配布物を配布する際に用いられる。
配布物収容箱１の材質としては、例えばアクリル樹脂、ポリ塩化ビニル、ポリエステル等の樹脂が挙げられる。
配布物収容箱１は、外箱２と内箱（用紙支持部）３とを有している。
外箱２は、収容部２１と、蓋部２２と、取付部２３とを有している。外箱２の形状は図示ものに限定されない。
収容部２１と蓋部２２は、取付部２３に取り付けられている。
【００１０】
収容部２１は、内箱３を収容する部分である。なお、図１では収容部２１に「ご自由にお取り下さい」という文字が表示されているが、文字は特に限定されず他の文字を表示することもできる。
【００１１】
蓋部２２は、蝶番２４ａ、２４ｂを介して取付部２３に取り付けられている。蓋部２２は、自重により収容部２１の開口部２１ａを覆う。蓋部２２は、収容部２１の開口部２１ａを収容部２１に収容された配布物５が風雨にさらされないように、配布物５を保護する。
【００１２】
この蓋部２２には、ワイヤ（取付器具）４ａ、４ｂを通す開口部２２ａ、２２ｂが設けられている。ワイヤ４ａ、４ｂは、蓋部２２と内箱３とを連結するものである。ワイヤ４ａ、４ｂの材料としては特に限定されないが、例えば紐や、ロープや針金等が挙げられる。開口部２２ａ、２２ｂの配置位置は特に限定されないが、蝶番２４ａ、２４ｂにより取付部２３に取り付けられる側の反対側の端部に配置されている。開口部２２ａ、２２ｂには防水加工を施し、ワイヤ４ａ、４ｂを伝って収容部２１内部に水が入らないようにしてもよい。
ワイヤ４ａ、４ｂの各端部には結び目が形成されており、蓋部２２を持ち上げてもワイヤ４ａ、４ｂが蓋部２２から離脱しないようになっている。
【００１３】
取付部２３の上部には、開口部２３ａ、２３ｂが設けられている。配布物収容箱１を取り付ける際には、この開口部２３ａ、２３ｂに紐などを通してつり下げたり、取付部２３の背面に接着部材などを塗り、壁などに直接取り付けたりすることもできる。
【００１４】
内箱３は、収容部２１内に配置されている。内箱３は、配布物５を収容する部分である。蓋部２２が閉じているとき、内箱３の底部は収容部２１の底部に接触していてもよいし、接触していなくてもよい。
内箱３は、ワイヤ４ａ、４ｂを介して蓋部２２に取り付けられている。ワイヤ４ａ、４ｂの長さは、配布物５のサイズに応じて調整される。
図２は、内箱を説明する図である。
【００１５】
内箱３の形状は、外箱２の形状に対応して設けられている。内箱３の側面にはワイヤ４ａ、４ｂそれぞれを通す開口部３ａ、３ｂが設けられている。なお、開口部３ａ、３ｂの配置位置は、図示の位置に限定されない。
【００１６】
ワイヤ４ａ、４ｂの内箱３の内部に位置する各端部には結び目が形成されており、ワイヤ４ａ、４ｂを引っ張ってもワイヤ４ａ、４ｂが内箱３から離脱しないようになっている。
図３は、蓋部を開いたときの配布物収容箱を説明する図である。
図３では配布物収容箱１は、壁部６に取り付けられている。
【００１７】
配布物を取ろうとする者（利用者）が蓋部２２を把持して開くと、蓋部２２に取り付けられたワイヤ４ａ、４ｂが蓋部２２とともに上昇する。ワイヤ４ａ、４ｂの端部に形成された結び目が開口部３ａ、３ｂに当接すると、ワイヤ４ａ、４ｂにより内箱３が引っ張られる。これにより内箱３が持ち上がり（内箱３の底部が収容部２１の底部から離間し）、内箱３の開口部３ｃが、外箱２の開口部２１ａ付近まで上昇する。
【００１８】
図３では、ワイヤ４ａ、４ｂの長さが調整され、蓋部２２を開いたときに内箱３の上部が開口部２１ａ付近まで持ち上がり、配布物５の上部が開口部２１ａより上部に位置している。これにより、利用者は配布物５を取り出しやすくなる。
利用者が蓋部２２を閉じると、内箱３も収容部２１内に位置する。
＜変形例１＞
次に、配布物収容箱の変形例について説明する。
以下、配布物収容箱の変形例について、前述した配布物収容箱１との相違点を中心に説明し、同様の事項については、その説明を省略する。
図４は、配布物収容箱の第１の変形例を示す図である。図４では配布物５の図示を省略している。
【００１９】
配布物収容箱１は、２本のワイヤ４ａ、４ｂを内箱３に取り付けたが、図４に示す配布物収容箱１ａは、１本のワイヤ４を内箱３に取り付けた点が異なっている。これにより、ワイヤを内箱３から離脱させないためにワイヤの端部に結び目を作らなくてもよい。
＜変形例２＞
図５は、配布物収容箱の第２の変形例を示す図である。
【００２０】
図５に示す配布物収容箱１ａは、配布物５を支持する構造が配布物収容箱１と異なっている。具体的には、配布物収容箱１では内箱３により配布物５を支持したが、配布物収容箱１ａは、コの字型の支持部３０が設けられている。
【００２１】
支持部３０は、底部と側部により配布物５を支持している。支持部３０の紙面手前側と紙面奥側の側部には壁が設けられていないが、例えば配布物５が冊子等、ある程度ページ数があるものであれば、配布物５が支持部３０から収容物２１の底部まで落下することを抑制することができる。
配布物収容箱１ａ、１ｂによれば、配布物収容箱１と同様の効果が得られる。
そして、配布物収容箱１ａによれば、支持部の構造を簡易にすることができるため、低コスト化が図れる。
【００２２】
以上、本考案の配布物収容箱を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
また、本考案は、前述した各実施の形態のうちの、任意の２以上の構成（特徴）を組み合わせたものであってもよい。
【符号の説明】
【００２３】
１、１ａ  配布物収容箱
２  外箱
２１  収容部
２２  蓋部
２３  取付部
２４ａ、２４ｂ  蝶番
３  内箱
３０  支持部
４  ワイヤ
５  配布物
【図１】
0003211359.tif 000003
【図２】
0003211359.tif 000004
【図３】
0003211359.tif 000005
【図４】
0003211359.tif 000006
【図５】
0003211359.tif 000007